(57)【要約】【課題】医療用使い捨てトレイを利用して使用後の医療用ガーゼの計数を容易とする。【解決手段】トレイ１は、平面視において略矩形状のトレイ本体１１、および、トレイ本体１１の内側においてトレイ底部１１１および周壁部１１２に対して着脱自在に取り付けられる板状のガーゼ保持部１２を備える。ガーゼ保持部１２の上部には、複数のガーゼ保持要素である複数の切り込み部１２１が、トレイ底部１１１に平行な所定の配列方向に一列に等ピッチにて配列されている。トレイ１では、手術等の医療処置にて使用された後の複数のガーゼが、ガーゼ保持部１２の複数の切り込み部１２１に１枚ずつ保持される。これにより、複数のガーゼが絡まったり重なって見えなくなってしまうことを防止し、使用後のガーゼの計数を容易とすることができる。【選択図】図１
2009034331.tif 000002
【特許請求の範囲】
【請求項１】
医療用使い捨てトレイであって、
トレイ底部と前記トレイ底部の周囲を囲む周壁部とを有するトレイ本体と、
それぞれが１枚の医療用ガーゼの一部を保持する複数のガーゼ保持要素を有するとともに前記トレイ本体の内側に取り付けられるガーゼ保持部と、
を備えることを特徴とする医療用使い捨てトレイ。
【請求項２】
請求項１に記載の医療用使い捨てトレイであって、
前記ガーゼ保持部が、前記トレイ底部および前記周壁部の少なくとも一方に対して着脱自在に取り付けられることを特徴とする医療用使い捨てトレイ。
【請求項３】
請求項１または２に記載の医療用使い捨てトレイであって、
前記ガーゼ保持部が板状であり、前記ガーゼ保持部が起立姿勢または傾斜姿勢にて前記トレイ本体の内側に取り付けられることを特徴とする医療用使い捨てトレイ。
【請求項４】
請求項３に記載の医療用使い捨てトレイであって、
前記ガーゼ保持部が、前記周壁部の互いに対向する部位の一方から他方まで前記トレイ底部を横断することを特徴とする医療用使い捨てトレイ。
【請求項５】
請求項３または４に記載の医療用使い捨てトレイであって、
前記ガーゼ保持部が、前記トレイ底部近傍に位置する前記トレイ底部に略平行な軸を中心として回転可能とされ、
前記ガーゼ保持部の非使用時に、前記ガーゼ保持部の主面が前記トレイ底部に略平行とされ、前記ガーゼ保持部の使用時に、前記ガーゼ保持部が前記軸を中心として回転されて起立姿勢または傾斜姿勢にて固定されることを特徴とする医療用使い捨てトレイ。
【請求項６】
医療用使い捨てトレイであって、
トレイ底部と、
前記トレイ底部の周囲を囲む周壁部と、
を備え、
前記トレイ底部が上方に突出するガーゼ保持部を有し、前記ガーゼ保持部が、それぞれが１枚の医療用ガーゼを保持する複数のガーゼ保持要素を有することを特徴とする医療用使い捨てトレイ。
【請求項７】
医療用使い捨てトレイであって、
トレイ底部と、
前記トレイ底部の周囲を囲む周壁部と、
を備え、
前記周壁部の一部が、それぞれが１枚の医療用ガーゼを保持する複数のガーゼ保持要素を有するガーゼ保持部であることを特徴とする医療用使い捨てトレイ。
【請求項８】
請求項３ないし７のいずれかに記載の医療用使い捨てトレイであって、
各ガーゼ保持要素が、前記ガーゼ保持部の上部に設けられた切り込み部であることを特徴とする医療用使い捨てトレイ。
【請求項９】
請求項１ないし７のいずれかに記載の医療用使い捨てトレイであって、
各ガーゼ保持要素が、前記ガーゼ保持部に形成された切り込み部または穴部であることを特徴とする医療用使い捨てトレイ。
【請求項１０】
請求項９に記載の医療用使い捨てトレイであって、
前記各ガーゼ保持要素が、前記ガーゼ保持部に形成された前記穴部であり、
前記穴部の周囲が、ガーゼの挿入方向に対して可撓性を有することを特徴とする医療用使い捨てトレイ。
【請求項１１】
請求項１ないし１０のいずれかに記載の医療用使い捨てトレイであって、
前記ガーゼ保持部に、前記複数のガーゼ保持要素に保持された医療用ガーゼの計数に利用される番号が記されていることを特徴とする医療用使い捨てトレイ。
【請求項１２】
請求項１ないし１１のいずれかに記載の医療用使い捨てトレイであって、
前記複数のガーゼ保持要素が前記トレイ底部に平行な所定の配列方向に一列に配列されており、
前記トレイ底部に、各ガーゼ保持要素近傍から前記配列方向に略垂直に伸びる溝部が設けられていることを特徴とする医療用使い捨てトレイ。
【請求項１３】
使い捨て医療用品セットであって、
請求項１ないし１２のいずれかに記載の医療用使い捨てトレイと、
前記ガーゼ保持部の前記複数のガーゼ保持要素に一部が保持されるとともに前記医療用使い捨てトレイに収容された未使用の複数の医療用ガーゼと、
を備えることを特徴とする使い捨て医療用品セット。
【発明の詳細な説明】
【技術分野】
【０００１】
本発明は、医療用使い捨てトレイおよび医療用使い捨てトレイを備える使い捨て医療用品セットに関する。
【背景技術】
【０００２】
従来より、手術室や病室等の医療施設内において医療処置が行われる際には、ガーゼやピンセット、メスやビーカー等の様々な医療用品が使用されおり、感染防止等の衛生管理の質の向上の観点から、これらの医療用品は使い捨てのものが利用されることが多い。
【０００３】
近年、医療処置の内容に合わせて用意された複数の医療用品を梱包した使い捨て医療用品セットが使用されており、これにより、医療処置前に行われる医療用品の準備作業の簡素化、および、これらの医療用品の在庫管理の簡素化が図られている。
【０００４】
例えば、特許文献１は、カテーテルを用いた手術に利用するための医療用器具を収容する医療用器具封入用トレイに関するものであり、医療用器具封入用トレイは、側壁部が略接した状態にて固定された第１トレイと第２トレイを有する。特許文献１の医療用器具封入用トレイでは、２つのトレイの固定を解除することにより、医療用器具封入用トレイの廃棄が容易とされる。
【０００５】
一方、手術等が行われる際には、血液等の吸収に使用した医療用ガーゼの体内への残置を防止するために、手術終了後等にガーゼの計数が行われる。また、使用後のガーゼの重量を測定することにより、手術時の出血量を把握することも行われている。
【０００６】
特許文献２は、複数の手術用ガーゼが包装された手術用ガーゼ包装体に関するものであり、手術用ガーゼ包装体では、２つ折りにされた板状のガーゼホルダの５つの切れ目状の係止部に５枚のガーゼが係止されたものが透明の滅菌袋に収容されている。特許文献２の手術用ガーゼ包装体では、ガーゼホルダの各係止部に１枚ずつ係止された未使用のガーゼを取り外して手術に使用し、使用済みのガーゼを再びガーゼホルダの各係止部に１枚ずつ係止することにより、手術前および手術後におけるガーゼの枚数の勘定（すなわち、計数）が容易とされる。
【特許文献１】特開２００５−２８７７９６号公報
【特許文献２】特許第３４４７６５５号公報
【発明の開示】
【発明が解決しようとする課題】
【０００７】
ところで、特許文献１のようなトレイは、使い捨て医療用品セットの搬送および保管時には、複数の医療用品の収容に利用されているが、使い捨て医療用品セットが開封された後は廃棄されるのみである。
【０００８】
一方、特許文献２のようなガーゼホルダでは、使用済みのガーゼを係止する際にガーゼホルダが動かないように手で押さえておく必要があり、ガーゼを容易に係止することが困難である。また、ガーゼホルダに係止された使用済みのガーゼがガーゼホルダよりも大きく、ガーゼにしみ込んだ血液等が周囲の物品やガーゼホルダの使用者等に付着してしまうため、衛生管理の質の向上に限界があるとともに出血量の計量を正確に行うことも困難である。
【０００９】
本発明は、上記課題に鑑みなされたものであり、医療用使い捨てトレイを利用して使用後の医療用ガーゼの計数を容易とすることを主な目的としている。
【課題を解決するための手段】
【００１０】
請求項１に記載の発明は、医療用使い捨てトレイであって、トレイ底部と前記トレイ底部の周囲を囲む周壁部とを有するトレイ本体と、それぞれが１枚の医療用ガーゼの一部を保持する複数のガーゼ保持要素を有するとともに前記トレイ本体の内側に取り付けられるガーゼ保持部とを備える。
【００１１】
請求項２に記載の発明は、請求項１に記載の医療用使い捨てトレイであって、前記ガーゼ保持部が、前記トレイ底部および前記周壁部の少なくとも一方に対して着脱自在に取り付けられる。
【００１２】
請求項３に記載の発明は、請求項１または２に記載の医療用使い捨てトレイであって、前記ガーゼ保持部が板状であり、前記ガーゼ保持部が起立姿勢または傾斜姿勢にて前記トレイ本体の内側に取り付けられる。
【００１３】
請求項４に記載の発明は、請求項３に記載の医療用使い捨てトレイであって、前記ガーゼ保持部が、前記周壁部の互いに対向する部位の一方から他方まで前記トレイ底部を横断する。
【００１４】
請求項５に記載の発明は、請求項３または４に記載の医療用使い捨てトレイであって、前記ガーゼ保持部が、前記トレイ底部近傍に位置する前記トレイ底部に略平行な軸を中心として回転可能とされ、前記ガーゼ保持部の非使用時に、前記ガーゼ保持部の主面が前記トレイ底部に略平行とされ、前記ガーゼ保持部の使用時に、前記ガーゼ保持部が前記軸を中心として回転されて起立姿勢または傾斜姿勢にて固定される。
【００１５】
請求項６に記載の発明は、医療用使い捨てトレイであって、トレイ底部と、前記トレイ底部の周囲を囲む周壁部とを備え、前記トレイ底部が上方に突出するガーゼ保持部を有し、前記ガーゼ保持部が、それぞれが１枚の医療用ガーゼを保持する複数のガーゼ保持要素を有する。
【００１６】
請求項７に記載の発明は、医療用使い捨てトレイであって、トレイ底部と、前記トレイ底部の周囲を囲む周壁部とを備え、前記周壁部の一部が、それぞれが１枚の医療用ガーゼを保持する複数のガーゼ保持要素を有するガーゼ保持部である。
【００１７】
請求項８に記載の発明は、請求項３ないし７のいずれかに記載の医療用使い捨てトレイであって、各ガーゼ保持要素が、前記ガーゼ保持部の上部に設けられた切り込み部である。
【００１８】
請求項９に記載の発明は、請求項１ないし７のいずれかに記載の医療用使い捨てトレイであって、各ガーゼ保持要素が、前記ガーゼ保持部に形成された切り込み部または穴部である。
【００１９】
請求項１０に記載の発明は、請求項９に記載の医療用使い捨てトレイであって、前記各ガーゼ保持要素が、前記ガーゼ保持部に形成された前記穴部であり、前記穴部の周囲が、ガーゼの挿入方向に対して可撓性を有する。
【００２０】
請求項１１に記載の発明は、請求項１ないし１０のいずれかに記載の医療用使い捨てトレイであって、前記ガーゼ保持部に、前記複数のガーゼ保持要素に保持された医療用ガーゼの計数に利用される番号が記されている。
【００２１】
請求項１２に記載の発明は、請求項１ないし１１のいずれかに記載の医療用使い捨てトレイであって、前記複数のガーゼ保持要素が前記トレイ底部に平行な所定の配列方向に一列に配列されており、前記トレイ底部に、各ガーゼ保持要素近傍から前記配列方向に略垂直に伸びる溝部が設けられている。
【００２２】
請求項１３に記載の発明は、使い捨て医療用品セットであって、請求項１ないし１２のいずれかに記載の医療用使い捨てトレイと、前記ガーゼ保持部の前記複数のガーゼ保持要素に一部が保持されるとともに前記医療用使い捨てトレイに収容された未使用の複数の医療用ガーゼとを備える。
【発明の効果】
【００２３】
本発明では、使用後の医療用ガーゼの計数を容易とすることができる。請求項１１および１２の発明では、医療用ガーゼの計数をより容易とすることができる。また、請求項１３の発明では、使用前の医療用ガーゼの計数を容易とすることができる。
【発明を実施するための最良の形態】
【００２４】
図１は、本発明の第１の実施の形態に係る使い捨て医療用品セットの一部である医療用使い捨てトレイ１（以下、単に「トレイ１」という。）を示す平面図であり、図２は、トレイ１を図１中のＡ−Ａの位置にて切断した断面図である。使い捨て医療用品セットは、様々な医療用品がトレイ１に収容された状態でトレイ１と共に包装部材により梱包されることにより形成される。図２では、図示の都合上、断面よりも奥側（すなわち、図１中における上側）の部位も併せて描いている（図７および図１０においても同様）。
【００２５】
図１および図２に示すように、トレイ１は、平面視において略矩形のトレイ底部１１１およびトレイ底部１１１の周囲を囲む周壁部１１２を有するトレイ本体１１、並びに、トレイ本体１１の内側に取り付けられる板状のガーゼ保持部１２を備える。トレイ本体１１は、トレイ底部１１１の各辺の長さが周壁部１１２の高さ（すなわち、トレイ本体１１の深さ）よりも大きい浅底型となっており、平坦な場所（例えば、手術室内において医療用品が載置されるワゴン）に安定して載置することができる。
【００２６】
ガーゼ保持部１２は、トレイ本体１１の周壁部１１２の互いに対向する部位の一方から他方まで（すなわち、周壁部１１２を構成する４つの側面のうち、互いに対向する２つの側面の間において）トレイ底部１１１を横断している。図２に示すように、トレイ本体１１では、トレイ底部１１１の上面にトレイ底部１１１を横断する２本の平行な凸部が形成されており、当該２本の凸部の間の溝が、ガーゼ保持部１２が挿入される挿入溝１１１１となっている。また、ガーゼ保持部１２の両端部と対向する周壁部１１２の２つの内側面にはそれぞれ、上記２本の凸部に連続するとともにトレイ底部１１１から斜め上方に伸びる２本の凸部が形成されており、当該２本の凸部の間の溝が、ガーゼ保持部１２が挿入される挿入溝１１２１となっている。トレイ１では、ガーゼ保持部１２が挿入溝１１１１，１１２１に挿入されることにより、トレイ底部１１１および周壁部１１２に対して着脱自在に取り付けられている。
【００２７】
周壁部１１２の挿入溝１１２１は、トレイ底部１１１に対して傾斜して設けられており、挿入溝１１２１に挿入されるガーゼ保持部１２は、傾斜姿勢にて（すなわち、ガーゼ保持部１２の主面が、トレイ底部１１１に対して非垂直かつ非平行な状態にて）トレイ本体１１の内側に取り付けられる。ガーゼ保持部１２の上端（すなわち、トレイ底部１１１とは反対側のエッジ）は、周壁部１１２の上端近傍に位置しており、本実施の形態では、周壁部１１２の上端よりもトレイ底部１１１に近い位置に位置している。本実施の形態では、トレイ本体１１およびガーゼ保持部１２は共に熱可塑性樹脂により形成されており、トレイ本体１１の挿入溝１１１１，１１２１の両側の凸部も、トレイ本体１１の形成時に一体的に形成される。
【００２８】
図３は、ガーゼ保持部１２を、ガーゼ保持部１２の法線に沿って図１中の右側から見た拡大図である。図３に示すように、略矩形板状のガーゼ保持部１２の上部には、複数（本実施の形態では、１０個）の切り込み部１２１が上部エッジに略垂直に設けられている。複数の切り込み部１２１は、ガーゼ保持部１２が図１に示すトレイ本体１１に取り付けられた状態において、トレイ底部１１１に平行な所定の配列方向（すなわち、水平面にトレイ本体１１を載置した場合の水平方向）に一列に等ピッチにて配列されている。
【００２９】
ガーゼ保持部１２では、図３に示す各切り込み部１２１に１枚の医療用ガーゼ（以下、単に「ガーゼ」という。）の一部が挟まれる（例えば、略矩形のガーゼの一の角部近傍が、切り込み部１２１の上側から挿入されて挟まれる）ことにより、複数のガーゼがガーゼ保持部１２に保持される。トレイ１では、ガーゼ保持部１２に形成された複数の切り込み部１２１が、それぞれが１枚のガーゼの一部を保持する複数のガーゼ保持要素となっている。
【００３０】
各切り込み部１２１の幅は、ガーゼ保持部１２の上部エッジから離れた位置においておよそ一定であり、ガーゼ保持部１２の上部エッジ近傍において、上部エッジに近づくに従って漸増している。このため、切り込み部１２１へのガーゼの挿入が容易とされる。また、ガーゼ保持部１２の各切り込み部１２１の近傍には、複数の切り込み部１２１に保持されるガーゼの計数に利用される番号（本実施の形態では、１〜１０の数字）が記されている。当該番号は、ガーゼ保持部１２の両側の主面のうち、少なくともトレイ本体１１の開口側の主面（すなわち、図２に示すトレイ底部１１１に対向する主面とは反対側の右側の主面であり、以下、「開口側主面」という。）に記されている。なお、図１では、上記番号の図示を省略している。
【００３１】
図４は、トレイ本体１１を図１中のＢ−Ｂの位置にて切断した断面図である。図４に示すように、トレイ本体１１のトレイ底部１１１には、ガーゼ保持部１２（図１参照）近傍からガーゼ保持部１２に略垂直に伸びる複数（本実施の形態では、１０本）の溝部１１１２が設けられており、図１に示すように、複数の溝部１１１２はガーゼ保持部１２の複数の切り込み部１２１にそれぞれ対応している。換言すれば、トレイ本体１１では、ガーゼ保持部１２の各切り込み部１２１近傍から切り込み部１２１の配列方向に略垂直に伸びる溝部１１１２がトレイ底部１１１に設けられている。
【００３２】
トレイ１に使用後のガーゼが保持される際には、看護士等の手に保持されたガーゼの一の角部近傍の部位が、ガーゼ保持部１２の切り込み部１２１に挿入され、ガーゼの残りの部位（すなわち、切り込み部１２１に係止された一の角部近傍以外の部位）が、細長くなるようにまとめられた上で、当該切り込み部１２１に対応するトレイ底部１１１の溝部１１１２に沿って図１中の右側に伸ばされて当該溝部１１１２に載置される。
【００３３】
図５は、上述のトレイ１を含む使い捨て医療用品セット６を示す平面図である。図５に示すように、使い捨て医療用品セット６は、未使用の複数（本実施の形態では、１０枚）のガーゼ６１、および、これらのガーゼ６１を含む様々な医療用品が収容されるトレイ１を備える。図１では、図示の都合上、トレイ１に収容される複数の医療用品のうち未使用のガーゼ６１のみを示し、ガーゼ６１を除く他の医療用品の図示を省略している。また、トレイ１に収容される医療用品をトレイ１と共に梱包する包装部材の図示も省略している。
【００３４】
使い捨て医療用品セット６では、複数のガーゼ６１はそれぞれ、一の角部近傍がガーゼ保持部１２の切り込み部１２１（図３参照）に保持された状態で、トレイ本体１１から取り外されたガーゼ保持部１２に巻き付けられており、ガーゼ保持部１２と共にトレイ底部１１１上に載置されてトレイ本体１１の内側に収容されている。
【００３５】
使い捨て医療用品セット６が使用される際には、ガーゼ保持部１２に巻き付けられた複数のガーゼ６１がほどかれた後（すなわち、ガーゼ保持部１２に対するガーゼ６１の巻回が解除された後）、複数のガーゼ６１を保持した状態のガーゼ保持部１２が、トレイ本体１１の挿入溝１１１１，１１２１に挿入されてトレイ本体１１の内側に取り付けられる。そして、ガーゼ保持部１２に記された番号（図３参照）を利用して、ガーゼ保持部１２に保持されている複数のガーゼ６１の計数が行われた後、ガーゼ保持部１２からガーゼ６１が取り外されて手術等の医療処置に使用される。
【００３６】
医療処置が終了すると、血液等を吸収した使用後のガーゼ６１が、トレイ本体１１の内側に取り付けられているガーゼ保持部１２の各切り込み部１２１に１枚ずつ挟み込まれて（すなわち、ガーゼ６１がガーゼ保持部１２により保持されて）トレイ本体１１の内側に収容される。そして、ガーゼ保持部１２に記された番号を利用してガーゼ６１の計数が再び行われ、使用前の計数時におけるガーゼ６１の枚数と使用後の計数時におけるガーゼ６１の枚数とが等しいことが確認される。その後、トレイ１と共に複数のガーゼ６１の重量が測定され、測定値とトレイ１および使用前のガーゼ６１の重量との差が出血量として記録される。トレイ１および使用前のガーゼ６１の重量は、使い捨て医療用品セット６の供給者から、使い捨て医療用品セット６の付帯情報として使用者に予め伝えられている。
【００３７】
なお、使い捨て医療用品セット６の使用に際しては、ガーゼ保持部１２がトレイ本体１１に取り付けられるよりも前にガーゼ６１の計数が行われ、ガーゼ６１がガーゼ保持部１２から取り外された後に、ガーゼ保持部１２のみがトレイ本体１１に取り付けられてもよい。また、トレイ１および使用前のガーゼ６１の重量は、ガーゼ６１が使用されるよりも前に使用者により測定されてもよい。
【００３８】
以上に説明したように、トレイ１は、トレイ本体１１およびトレイ本体１１の内側に取り付けられるガーゼ保持部１２を備え、ガーゼ保持部１２が、それぞれが１枚のガーゼの一部を保持する複数のガーゼ保持要素である切り込み部１２１を有する。そして、手術等の医療処置にて使用された後の複数のガーゼが、ガーゼ保持部１２の複数の切り込み部１２１に１枚ずつ保持される。これにより、複数のガーゼが絡まったり重なって見えなくなってしまうことを防止し、使用後のガーゼの計数を容易とすることができる。また、ガーゼ保持部１２が、高い安定性を有するトレイ本体１１の内側に取り付けられているため、ガーゼ保持部１２の切り込み部１２１に対するガーゼの係止を容易とすることができる。このように、ガーゼの係止および計数が容易とされることにより、使用後のガーゼに対する看護士等の接触頻度が低減され、衛生管理の質の向上（例えば、感染の危険性の低減）を実現することができる。
【００３９】
さらには、使用後のガーゼがトレイ本体１１の内側に収容されることにより、ガーゼに吸収された血液等がトレイ１の周囲の物品に付着することが防止される。その結果、衛生管理の質の更なる向上が実現されるとともに、ガーゼの重量をトレイ１と共に測定することにより、医療処置の際にガーゼに吸収された血液の重量（すなわち、出血量）を正確に測定することができる。また、出血量の測定時にトレイ１を測定器上に安定して載置することにより、出血量の測定を容易とすることもできる。
【００４０】
トレイ１では、ガーゼ保持部１２の各切り込み部１２１の近傍に記されている番号を利用することにより、ガーゼの計数をより容易とすることができる。また、複数の切り込み部１２１に対応してトレイ底部１１１に形成された複数の溝部１１１２のそれぞれに、ガーゼ保持部１２に保持されたガーゼを１枚ずつ載置することにより、ガーゼの重なりがより一層抑制されてガーゼの計数がさらに容易とされる。
【００４１】
上述のように、トレイ１を備える使い捨て医療用品セット６では、ガーゼ保持部１２の複数の切り込み部１２１に保持された複数の未使用のガーゼが、トレイ１のトレイ本体１１内部に収容されており、使い捨て医療用品セット６が使用される際には、ガーゼ保持部１２に保持された状態で当該複数のガーゼの計数が行われる。これにより、使い捨て医療用品セット６に含まれる使用前のガーゼの計数を容易とすることができる。
【００４２】
使い捨て医療用品セット６では、トレイ１のトレイ本体１１の内側に複数の医療用品が収容される。上述のように、トレイ１のガーゼ保持部１２は、トレイ本体１１の内側においてトレイ底部１１１および周壁部１１２に対して着脱自在に取り付けられているため、使用前の状態の使い捨て医療用品セット６において、ガーゼ保持部１２をトレイ本体１１の挿入溝１１１１，１１２１から取り外しておくことにより、医療用品をトレイ１に収容する際の配置の自由度を高くすることができる。
【００４３】
また、使い捨て医療用品セット６では、トレイ本体１１に取り付けられる前のガーゼ保持部１２は、トレイ本体１１の内側に収容されているが、このとき、図３に示すガーゼ保持部１２とは構造が異なる他の種類のガーゼ保持部（例えば、後述するガーゼ保持部１２ａ（図８参照）のような構造を有するガーゼ保持部）を、ガーゼ保持部１２と共にトレイ本体１１の内側に収容しておくことにより、医療処置が行われる現場の状況に適したガーゼ保持部を選択して使用することができる。
【００４４】
トレイ１では、ガーゼ保持部１２が板状とされることにより、ガーゼ保持部１２の構造を簡素化することができ、その結果、トレイ１の製造コストが低減される。また、ガーゼ保持部１２をトレイ本体１１から取り外してトレイ本体１１の内部に収容する際に、ガーゼ保持部１２の収容に大きなスペースが必要とされないため、トレイ本体１１の内部空間を有効に利用して多数の医療用品を収容することができる。
【００４５】
上述のように、トレイ１では、板状のガーゼ保持部１２が傾斜姿勢にてトレイ本体１１の内側に取り付けられ、ガーゼ保持部１２の開口側主面に番号が記されているため、当該番号の視認性を向上してガーゼの計数をより容易とすることができる。また、これらの番号がガーゼ保持部１２の上部に記されているため、ガーゼがガーゼ保持部１２に保持された状態においても、番号がガーゼにより隠されてしまうことが防止され、ガーゼの計数がさらに容易とされる。
【００４６】
さらには、ガーゼ保持部１２が、周壁部１１２の互いに対向する部位の一方から他方までトレイ底部１１１を横断してトレイ本体１１に取り付けられることにより、ガーゼ保持部１２の長さを長くすることができる。これにより、ガーゼ保持部１２に多数の切り込み部１２１が形成され、多数のガーゼをガーゼ保持部１２により保持される。
【００４７】
ガーゼ保持部１２では、各ガーゼ保持要素が、ガーゼ保持部１２の上部に設けられた切り込み部１２１とされることにより、看護士等が、手に持ったガーゼをガーゼ保持部１２に容易に係止する（すなわち、ガーゼ保持部１２に保持させる）ことができる。また、ガーゼ保持要素の形状を単純な切り込みとすることにより、ガーゼ保持部１２をより容易に形成することができる。
【００４８】
次に、本発明の第２の実施の形態に係る使い捨て医療用品セットの一部である医療用使い捨てトレイについて説明する。図６は、第２の実施の形態に係る医療用使い捨てトレイ１ａ（以下、単に「トレイ１ａ」という。）を示す平面図であり、図７は、トレイ１ａを図６中のＣ−Ｃの位置にて切断した断面図である。図６および図７に示すように、トレイ１ａは、図１に示すガーゼ保持部１２とは構造が異なるガーゼ保持部１２ａを備える。その他の構成は、図１に示すトレイ１とほぼ同様であり、以下の説明では対応する構成に同符号を付す。
【００４９】
図６に示すように、板状のガーゼ保持部１２ａは、第１の実施の形態と同様に、トレイ本体１１の周壁部１１２の互いに対向する部位の一方から他方までトレイ底部１１１を横断しており、図６および図７に示すように、傾斜姿勢にて（すなわち、ガーゼ保持部１２ａの主面が、トレイ底部１１１に対して非垂直かつ非平行な状態にて）トレイ本体１１の内側に取り付けられている。
【００５０】
図８は、ガーゼ保持部１２ａを、ガーゼ保持部１２ａの法線に沿って図６中の右側から見た拡大図である。図８に示すように、ガーゼ保持部１２ａは、略矩形枠状の外周部１２２、および、外周部１２２の内側に固定された外周部１２２よりも薄い内板部１２３を備える。本実施の形態では、外周部１２２および内板部１２３は、熱可塑性樹脂により形成される。
【００５１】
内板部１２３には、トレイ底部１１１（図６および図７参照）に平行な所定の配列方向（すなわち、水平面にトレイ本体１１を載置した場合の水平方向）に一列に等ピッチにて配列された複数（本実施の形態では、１０個）の穴部１２４が形成されており、各穴部１２４には、１枚のガーゼの一部（例えば、略矩形のガーゼの一の角部近傍）が挿入されて保持される。トレイ１ａでは、各穴部１２４が、１枚のガーゼの一部を保持するガーゼ保持要素となっている。各穴部１２４の周囲には、各穴部１２４から放射状に伸びる複数の切れ目が形成されており、これにより、内板部１２３の各穴部１２４の周囲の部位が、ガーゼの挿入方向に対して可撓性を有する。
【００５２】
ガーゼ保持部１２ａでは、各穴部１２４の上側の外周部１２２に、複数の穴部１２４に保持されるガーゼの計数に利用される番号（本実施の形態では、１〜１０の数字）が記されている。当該番号は、第１の実施の形態と同様に、ガーゼ保持部１２ａの両側の主面のうち、少なくとも開口側主面に記される。なお、図６では、上記番号の図示を省略している。
【００５３】
ガーゼ保持部１２ａは、下端部の幅方向（すなわち、穴部１２４の配列方向）の両側に側部突起１２５を有する。図６に示すように、２つの側部突起１２５は、トレイ本体１１の周壁部１１２に形成された凹部に挿入されており、ガーゼ保持部１２ａは、図６および図７に示すように、トレイ底部１１１近傍に位置するトレイ底部１１１に略平行な軸Ｊ１を中心として回転可能とされる。
【００５４】
ガーゼ保持部１２ａの非使用時（すなわち、ガーゼ保持部１２ａに対するガーゼの係止が行われない場合）には、ガーゼ保持部１２ａは、図７中に二点鎖線にて示すように、主面がトレイ底部１１１に略平行となるようにトレイ底部１１１上に載置されている。そして、ガーゼ保持部１２ａの使用時には、ガーゼ保持部１２ａが軸Ｊ１を中心として図７中に実線にて示す位置まで反時計回りに回転され、傾斜姿勢にて固定される。具体的には、図６および図７に示すように、トレイ本体１１の周壁部１１２に形成された凸状の支持部１１２２によりガーゼ保持部１２ａが支持されるとともに、周壁部１１２に形成された突起１１２３によりガーゼ保持部１２ａの回転が規制されることにより、ガーゼ保持部１２ａがトレイ本体１１の周壁部１１２に傾斜姿勢にて固定される。
【００５５】
図６に示すトレイ１ａに使用後のガーゼが保持される際には、ピンセット等に把持されたガーゼの一の角部近傍の部位が、ガーゼ保持部１２ａの穴部１２４に開口側主面から挿入され、ガーゼの残りの部位（すなわち、穴部１２４に係止された一の角部近傍以外の部位）が、細長くなるようにまとめられた上で、当該穴部１２４に対応するトレイ底部１１１の溝部１１１２に沿って伸ばされて当該溝部１１１２に載置される。
【００５６】
以上に説明したように、トレイ１ａでは、ガーゼ保持部１２ａの各穴部１２４に１枚のガーゼが保持されることにより、第１の実施の形態と同様に、複数のガーゼが絡まったり重なって見えなくなってしまうことを防止し、使用後のガーゼの計数を容易とすることができる。また、ガーゼ保持部１２ａが、高い安定性を有するトレイ本体１１の内側に取り付けられているため、ガーゼ保持部１２ａの穴部１２４に対するガーゼの挿入を容易とすることができる。その結果、使用後のガーゼに対する看護士等の接触頻度が低減され、衛生管理の質の向上を実現することができる。さらには、第１の実施の形態と同様に、使用後のガーゼがトレイ本体１１の内側に収容されることにより、衛生管理の質の更なる向上が実現されるとともに、医療処置の際にガーゼに吸収された血液の重量（すなわち、出血量）を正確かつ容易に測定することができる。
【００５７】
トレイ１ａでは、ガーゼ保持部１２ａの各穴部１２４の近傍に記されている番号を利用することにより、第１の実施の形態と同様に、ガーゼの計数をより容易とすることができる。また、複数の穴部１２４に対応してトレイ底部１１１に形成された複数の溝部１１１２のそれぞれに、ガーゼ保持部１２ａに保持されたガーゼを１枚ずつ載置することにより、ガーゼの計数がさらに容易とされる。
【００５８】
ガーゼ保持部１２ａでは、各ガーゼ保持要素が、内板部１２３に設けられた穴部１２４とされる。これにより、看護士等が、ピンセット等により把持したガーゼをガーゼ保持部１２ａに容易に係止する（保持させる）ことができる。また、穴部１２４の周囲の部位が、ガーゼの挿入方向に対して可撓性を有することにより、穴部１２４に対するガーゼの挿入が容易とされ、ガーゼをガーゼ保持部１２ａにさらに容易に保持させることができる。
【００５９】
トレイ１ａを含む使い捨て医療用品セットでは、ガーゼ保持部１２ａを回転させてトレイ底部１１１上に載置することにより、医療用品をトレイ１ａに収容する際の配置の自由度を高くすることができる。なお、トレイ１ａでは、ガーゼ保持部１２ａが、トレイ本体１１に対して着脱自在に取り付けられてもよい。これにより、医療用品をトレイ１ａに収容する際の配置の自由度をより高くすることができる。
【００６０】
次に、本発明の第３の実施の形態に係る使い捨て医療用品セットの一部である医療用使い捨てトレイについて説明する。図９は、第３の実施の形態に係る医療用使い捨てトレイ１ｂ（以下、単に「トレイ１ｂ」という。）を示す平面図であり、図１０は、トレイ１ｂを図９中のＤ−Ｄの位置にて切断した断面図である。トレイ１ｂは、全体が熱可塑性樹脂により一体的に形成されている。
【００６１】
図９および図１０に示すように、トレイ１ｂは、平面視において略矩形のトレイ底部１１１、および、トレイ底部１１１の周囲を囲む周壁部１１２を備え、トレイ底部１１１は、上方に突出する（すなわち、トレイ１ｂの開口に向かって突出する）ガーゼ保持部１２ｂを備える。ガーゼ保持部１２ｂは、周壁部１１２の互いに対向する部位の一方から他方まで（すなわち、周壁部１１２を構成する４つの側面のうち、互いに対向する２つの側面の間において）略直線状に設けられており、図９および図１０中におけるガーゼ保持部１２ｂの右側および左側の面は、トレイ底部１１１のガーゼ保持部１２ｂ以外の部位に対して傾斜している（すなわち、トレイ底部１１１のガーゼ保持部１２ｂ以外の部位に対して非垂直かつ非平行とされる）。なお、トレイ１ｂでは、ガーゼ保持部１２ｂの左右両側の面、あるいは、いずれか一方の面が、トレイ底部１１１のガーゼ保持部１２ｂ以外の部位に略垂直とされてもよい。
【００６２】
ガーゼ保持部１２ｂの上部には、複数（本実施の形態では、１０個）の切り込み部１２１ａが上部エッジに略垂直に設けられており、複数の切り込み部１２１ａは、所定の配列方向（すなわち、水平面にトレイ１ｂを載置した場合の水平方向）に一列に等ピッチにて配列されている。ガーゼ保持部１２ｂでは、複数の切り込み部１２１ａが、それぞれが１枚のガーゼの一部を保持する複数のガーゼ保持要素となっている。また、ガーゼ保持部１２ｂの左右両側の面では、複数の切り込み部１２１ａに保持されるガーゼの計数に利用される番号（図示省略）が、各切り込み部１２１ａの近傍に記されている。
【００６３】
トレイ１ｂでは、ガーゼ保持部１２ｂの各切り込み部１２１ａに１枚のガーゼが保持されることにより、第１の実施の形態と同様に、使用後のガーゼの計数を容易とすることができる。また、ガーゼ保持部１２ｂが、高い安定性を有するトレイ１ｂの内側に設けられているため、ガーゼ保持部１２ｂの切り込み部１２１ａに対するガーゼの係止を容易とすることができる。その結果、衛生管理の質の向上が実現される。さらには、使用後のガーゼがトレイ１ｂの内側に収容されることにより、第１の実施の形態と同様に、衛生管理の質の更なる向上が実現されるとともに、出血量を正確かつ容易に測定することができる。
【００６４】
トレイ１ｂでは、ガーゼ保持部１２ｂが仕切りの役目を果たすことにより、複数種類の医療用品を区分けしてトレイ１ｂに収容することができるとともに、トレイ１ｂ内における医療用品の移動が規制される。
【００６５】
次に、本発明の第４の実施の形態に係る使い捨て医療用品セットの一部である医療用使い捨てトレイについて説明する。図１１は、第４の実施の形態に係る医療用使い捨てトレイ１ｃ（以下、単に「トレイ１ｃ」という。）を示す平面図である。トレイ１ｃは、全体が熱可塑性樹脂により一体的に形成されている。
【００６６】
図１１に示すように、トレイ１ｃは、平面視において略矩形のトレイ底部１１１、および、トレイ底部１１１の周囲を囲む周壁部１１２を備え、周壁部１１２の一部（本実施の形態では、周壁部１１２を構成する４つの側面のうちの一の側面）が、それぞれが１枚のガーゼの一部を保持する複数のガーゼ保持要素である切り込み部１２１ｂを有するガーゼ保持部となっている。複数の切り込み部１２１ｂは周壁部１１２の上部に設けられており、周壁部１１２の上面では、複数の切り込み部１２１ｂに保持されるガーゼの計数に利用される番号（図示省略）が、各切り込み部１２１ｂの近傍に記されている。
【００６７】
トレイ１ｃでは、周壁部１１２の各切り込み部１２１ｂに１枚のガーゼが保持されることにより、第１の実施の形態と同様に、使用後のガーゼの計数を容易とすることができ、その結果、衛生管理の質の向上が実現される。
【００６８】
以上、本発明の実施の形態について説明してきたが、本発明は上記実施の形態に限定されるものではなく、様々な変更が可能である。
【００６９】
例えば、第１および第２の実施の形態に係るトレイでは、板状のガーゼ保持部が、トレイ底部１１１に略垂直な起立姿勢（すなわち、ガーゼ保持部の両主面がトレイ底部１１１に略垂直となる姿勢）にてトレイ本体１１の内側に取り付けられてもよい。
【００７０】
第１の実施の形態に係るトレイ１では、図８に示すような穴部１２４をガーゼ保持要素として有するガーゼ保持部が、トレイ本体１１の挿入溝１１１１，１１２１に挿入されてトレイ本体１１の内側に取り付けられてもよい。また、挿入溝１１１１，１１２１に代えて、トレイ底部１１１および周壁部１１２からトレイ本体１１の内側に向かって突出する半球状の複数の突起が、ガーゼ保持部１２の取り付け姿勢に合わせて配列され、これらの突起群によりガーゼ保持部１２の移動が規制されてガーゼ保持部１２の取り付けが実現されてもよい。
【００７１】
第２の実施の形態に係るトレイ１ａでは、ガーゼ保持部１２ａの穴部１２４は、必ずしも円形には限定されず、例えば、楕円形や矩形とされてもよい。また、内板部１２３全体、または、内板部１２３の穴部１２４の周囲の部位が、ゴム等の弾性体により形成されてもよい。
【００７２】
第１および第２の実施の形態に係るトレイでは、ガーゼ保持部は、必ずしも板状とされる必要はなく、また、トレイ本体１１のトレイ底部１１１および周壁部１１２の少なくとも一方に取り付けられていればよい。例えば、略三角柱状のガーゼ保持部の一の矩形状の側面に突起部が設けられ、当該突起部がトレイ底部１１１に形成された凹部に嵌合することにより、ガーゼ保持部がトレイ本体１１の内側に取り付けられてもよい。この場合、ガーゼ保持部に設けられる複数のガーゼ保持要素は、例えば、ガーゼ保持部の上側のエッジ（すなわち、トレイ底部１１１とは反対側のエッジ）に形成された切り込み部や、当該エッジ近傍に形成された穴部とされる。
【００７３】
第２ないし第４の実施の形態に係るトレイを含む使い捨て医療用品セットでは、第１の実施の形態と同様に、未使用の複数のガーゼが、トレイのガーゼ保持部において複数のガーゼ保持要素にそれぞれ保持された状態でトレイの内部に収容されてよい。また、上記実施の形態に係るトレイは、平面視において必ずしも矩形状とされる必要はなく、必要に応じて様々な形状とされてよい。
【図面の簡単な説明】
【００７４】
【図１】第１の実施の形態に係るトレイの平面図である。
【図２】トレイの断面図である。
【図３】ガーゼ保持部の拡大図である。
【図４】トレイの断面図である。
【図５】使い捨て医療用品セットの平面図である。
【図６】第２の実施の形態に係るトレイの平面図である。
【図７】トレイの断面図である。
【図８】ガーゼ保持部の拡大図である。
【図９】第３の実施の形態に係るトレイの平面図である。
【図１０】トレイの断面図である。
【図１１】第４の実施の形態に係るトレイの平面図である。
【符号の説明】
【００７５】
１，１ａ〜１ｃ    トレイ
６    使い捨て医療用品セット
１１    トレイ本体
１２，１２ａ，１２ｂ    ガーゼ保持部
６１    ガーゼ
１１１    トレイ底部
１１２    周壁部
１２１，１２１ａ，１２１ｂ    切り込み部
１２４    穴部
１１１２    溝部
Ｊ１    軸
【図１】
2009034331.tif 000003
【図２】
2009034331.tif 000004
【図３】
2009034331.tif 000005
【図４】
2009034331.tif 000006
【図５】
2009034331.tif 000007
【図６】
2009034331.tif 000008
【図７】
2009034331.tif 000009
【図８】
2009034331.tif 000010
【図９】
2009034331.tif 000011
【図１０】
2009034331.tif 000012
【図１１】
2009034331.tif 000013